(57)【要約】【課題】本願発明の課題は、従来技術が抱える問題を解決することであり、すなわち、頭部キャップを取り外すことなく内部の観察を可能にし、しかも内部に充填された防錆油の劣化を防止することができるアンカー用頭部キャップと、これを点検する方法を提供することである。【解決手段】本願発明のアンカー用頭部キャップは、本体壁と、点検部、遮光体を備えたものである。このうち本体壁は、定着具を収容するための収容空間を形成するものであり、点検部は、収容空間内を視認し得るものであって本体壁の一部に設けられる。また遮光体は、点検部の前面に設置されるものであって、光を遮断する材質で形成され、さらに移動可能となっている。そして、遮光体が点検部の前面に配置されるときは収容空間内への光を遮断し、遮光体が点検部の前面から外れたときは点検部を通じて収容空間内を視認することができる。【選択図】図１
2018135707.tif 000002
【特許請求の範囲】
【請求項１】
アンカー頭部の定着具を収容するアンカー用頭部キャップにおいて、
前記定着具を収容するための収容空間を形成する本体壁と、
前記本体壁の一部に設けられ、前記収容空間内を視認し得る点検部と、
前記点検部前面に設置される遮光体と、を備え、
前記遮光体は、光を遮断する材質で形成されるとともに、移動可能であり、
前記遮光体が前記点検部の前面に配置されるときは前記収容空間内への光を遮断し、前記遮光体が前記点検部の前面から外れたときは該点検部を通じて前記収容空間内を視認し得る、
ことを特徴とするアンカー用頭部キャップ。
【請求項２】
前記点検部は、前記本体壁に設けられた視通孔内に取り付けられた貫入体を有し、
前記貫入体は、前記収容空間内を視認し得る材質で形成されるとともに、前記本体壁の表面よりも内部側に突出する形状である、
ことを特徴とする請求項１記載のアンカー用頭部キャップ。
【請求項３】
前記貫入体が、着脱可能に前記視通孔に取り付けられた、
ことを特徴とする請求項２記載のアンカー用頭部キャップ。
【請求項４】
前記遮光体が、着脱可能に前記本体壁に取り付けられた、
ことを特徴とする請求項１乃至請求項３のいずれかに記載のアンカー用頭部キャップ。
【請求項５】
前記本体壁にネジが設けられるとともに、前記遮光体の側面にネジが設けられ、
前記遮光体が、ネジによって着脱可能に前記本体壁に取り付けられた、
ことを特徴とする請求項４記載のアンカー用頭部キャップ。
【請求項６】
前記遮光体が、ヒンジ固定によって回転可能に前記本体壁に取り付けられ、又はスライド可能に前記本体壁に取り付けられた、
ことを特徴とする請求項１乃至請求項３のいずれかに記載のアンカー用頭部キャップ。
【請求項７】
アンカー頭部の定着具を収容し、かつ内部に防食材が充填されたアンンカー用頭部キャップの点検方法において、
前記アンンカー用頭部キャップは、前記定着具を収容するための収容空間を形成する本体壁と、該収容空間内を視認し得る点検部と、該点検部の前面に設置される遮光体と、を有し、
前記遮光体は、光を遮断する材質で形成されるとともに、移動可能であり、
前記遮光体を、前記点検部の前面から外すように移動する、点検部開放工程と、
前記点検部開放工程後に、前記点検部を通じて前記収容空間内を観察する観察工程と、を備えた、
ことを特徴とするアンカー用頭部キャップの点検方法。
【請求項８】
前記点検部は、前記本体壁に設けられた視通孔内に取り付けられた貫入体を有し、
前記貫入体は、前記収容空間内を視認し得る材質で形成されるとともに、前記本体壁の表面よりも内部側に突出する形状であり、
前記観察工程では、前記貫入体を通じて前記収容空間内を観察する、
ことを特徴とする請求項７記載のアンカー用頭部キャップの点検方法。
【請求項９】
着脱可能に前記視通孔に取り付けられた前記貫入体を取り外し、前記収容空間内に充填された前記防食材を採取する防食材採取工程を、さらに備えた、
ことを特徴とする請求項８記載のアンカー用頭部キャップの点検方法。
【請求項１０】
前記観察工程では、前記収容空間内に充填された前記防食材の色を分光測色計 によって計測する、
ことを特徴とする請求項７乃至請求項９のいずれかに記載のアンカー用頭部キャップの点検方法。
【発明の詳細な説明】
【技術分野】
【０００１】
本願発明は、アンカー頭部の定着具を覆うアンカー用頭部キャップに関する技術であり、より具体的には、取り外すことなく内部を観察し得る点検部を備え、しかも点検時以外はこの点検部からの光の侵入を防ぐことのできるアンカー用頭部キャップと、これを点検する方法に関するものである。
【背景技術】
【０００２】
アンカーは、テンドン（引張り材）と呼ばれる部材に緊張力を与え、これを構造物等に設置することによって目的の力を付与する構造であり、橋梁のコンクリート床板にプレストレスを導入する際に使用されたり、吊り橋ケーブルの反力として使用されたり、構造物の浮き上がり防止（地盤下からの引張）として使用されるなど、多岐にわたって利用されるシステムである。
【０００３】
特に、のり面・斜面の対策工や、地すべり対策工、あるいは山留擁壁の補強工としては、今やアンカーシステムは欠かせないものとなった。のり面対策工や地すべり対策工等として使用されるアンカーは、テンドンの一方の固定端を地盤内に設置することから、古くは「アースアンカー」、現在では「グラウンドアンカー」と呼ばれている。このグラウンドアンカーは、ダムの安定対策として１９５７年に初めて我が国に導入されて以来、６０年近くにわたって採用されている。経済的であり施工性にも優れていることから、さらに高度成長に伴う社会資本整備の加速化もあって、２万４千件ともいわれる夥しい数の施工実績を数えるほど多用されてきた。
【０００４】
現在のグラウンドアンカーは、優れた施工性を有し、しかも極めて高い性能を発揮するものであるが、これは導入以降になされた研究開発の結果であることが知られている。例えば、導入当初は防食に対して強く意識されていなかったが、その後、耐久性の問題から二重防食が義務づけられるようになった経緯もある（現在では、防食技術が進歩したこともあって必ずしも二重防食とはされていない。）。いずれにしろグラウンドアンカーの技術は年々向上しており、言い換えれば設置から長い期間経過したグラウンドアンカーほど発展途上のものであって、浸食や劣化等が相当に進んでいることが推測される。実際、近年になってテンドンの破断や、頭部の落下、浮き上がりといった変状も報告されている。
【０００５】
グラウンドアンカーは１本あたり数百ｋＮという緊張力を与えるものであり、例えばテンドンが破断すると補強対象物（のり面や山留擁壁など）の安定を損なうだけでなく、第三者に被害を及ぼすおそれさえある。現在では、既に設置されたグラウンドアンカーのうちおよそ１／４が１０年以上経過しているともいわれており、今後ますますグラウンドアンカーの変状が進行することが予想され、事故等が生じる危険性も高まりつつある。
【０００６】
一方、橋梁やトンネルといった社会資本も長期間経過したものが多くなり、我が国の社会資本全体が更新の時期を迎えようとしている。とはいえ数多くの社会資本を同時期に更新し、あるいは大規模な補強を行うことは、費用の面でも労力の点でも難しい。そこで近年では、社会資本の健全性を適切に判断したうえで早い段階から軽微な補修等を行うなど、社会資本の延命化を図ることが求められている。グラウンドアンカーもその例外ではなく、延命化を図るべく適切な維持管理が行われているところである。
【０００７】
グラウンドアンカーの維持管理の一環として、「点検」が挙げられる。点検は、異常の有無を監視するとともに、後続の健全性調査の対象を抽出する目的で実施される。なお、健全性調査の結果、必要が認められたものは適切な対策工が施される。グラウンドアンカーの点検は、初期点検、日常点検、定期点検、異常時点検に大別され、このうち日常点検は目視による異常確認であり、例えば通常巡回の際に車上からの目視によって行われる。これに対して定期点検は、やはり目視点検であるがより詳細に確認すべく近接目視が望ましいとされており、半年から１年に１回の頻度で全数のグラウンドアンカーを対象に実施される。近接目視は、文字どおりグラウンドアンカーに近接して確認するものであり、必要に応じてハンマーによる打音点検なども行うこととされている。
【０００８】
グラウンドアンカーは、大きくアンカー体と、引張り部、アンカー頭部で構成され、アンカー体は地盤側端に形成されるものであって注入されたグラウトによって造成されるいわば定着部であり、引張り部は全体の中央部に形成されるものであってアンカー頭部からの引張り力をアンカー体に伝達する機能を持つ。アンカー頭部は、アンカー体の反対側（つまり表面側）の端部に形成されるものであって構造物や地盤からの力を引張り部に伝達させる機能を持ち、定着具と支圧板を含んで構成される。通常、定着具は、落石などが直接接触しないよう頭部キャップによって覆われている。そしてテンドン余長や定着具の腐食を防止するため、頭部キャップ内には防食用材料（以下、「防食材」という。）が充填される。
【０００９】
グラウンドアンカーの目視点検を行うと、アンカー頭部周辺に変色が見られることがある。このような変色は、周囲のコンクリートから溶出した遊離石灰によることもあるし、頭部キャップから漏出した防食材によるケースもある。アンカー体や引張り部が地中深く設置されていると相当の水圧が作用することもあり、地下水がアンカー体や引張り部を通じてアンカー頭部まで押し上げられることもあって、この場合、頭部キャップ内に浸入した水が防食材を追い出すわけである。もちろん、頭部キャップから防食材が漏れ出すと定着具等の腐食が進みやすくなり、グラウンドアンカーの延命化が図れない結果となる。
【００１０】
したがって頭部キャップから防食材が漏れ出した場合は、速やかに防食材を補充あるいは交換する必要がある。ところが、アンカー頭部周辺の変色が、頭部キャップから漏出した防食材によるものか、コンクリートから溶出した遊離石灰など他の原因によるものかを判別するためには、頭部キャップを取り外して内部を確認しなければならない。この頭部キャップは人の手によって取り外すため手間がかかる作業であるうえ、定期点検は全数点検が原則であるから相当な数の頭部キャップを取り外すケースもあり、点検者の労力と費用を著しく圧迫していた。
【００１１】
そこで特許文献１では、頭部キャップに確認窓部を設けることによって、頭部キャップを取り外すことなくその内部を確認できる技術を提案している。
【先行技術文献】
【特許文献】
【００１２】
【特許文献１】特開２０１４−１２５７６９号公報
【発明の概要】
【発明が解決しようとする課題】
【００１３】
特許文献１に示す確認窓部は、頭部キャップ内のテンドンの状態を視認することを目的とし、比較的広い面積を確保して形成されている。
【００１４】
ところで、頭部キャップ内を充填する防食材は、一般的には防錆油が利用される。防錆油などの機械油は、水や粉塵などの異物が混入することによって劣化し、特に酸化によって変質すると著しく劣化することが知られている。機械油が劣化すると本来目的としていた機能が失われ、防錆油の場合であれば劣化することによってテンドン余長や定着材の防食を果たせなくなる。油の酸化を促進する要因としては、酸素や水分の影響、あるいは金属イオンの影響などがあるといわれ、さらに温度の影響と光の影響もあると考えられている。油の酸化速度は温度が高いほど大きくなり、１０℃上昇するごとに反応速度は２倍になるといわれている。また、太陽光線や蛍光灯などの光線も酸化を促進する大きな要因であり、紫外線のように波長が短い光ほどエネルギーが大きく、強く酸化を促進する傾向にあると考えられている。
【００１５】
特許文献１にように、比較的広い範囲に形成された確認窓部は、多くの太陽光を内部に誘導する。その結果、頭部キャップ内の防錆油は、特に夏期の日中には極めて高温となり、またエネルギーが大きいとされる紫外線を多く取り込むこととなる。つまり、広い面積の確認窓部を設けたが故に、頭部キャップ内の防錆油は著しく酸化が促進され、劣化が進むことになるわけである。このような状態を避けるためには、太陽光を侵入させる確認窓部を設けないことも考えられるが、これでは目視点検の際に頭部キャップを取り外すこととなり、これまでどおり点検者の労力と費用を著しく圧迫することとなる。
【００１６】
本願発明の課題は、従来技術が抱える問題を解決することであり、すなわち、頭部キャップを取り外すことなく内部の観察を可能にし、しかも内部に充填された防錆油の劣化を防止することができるアンカー用頭部キャップと、これを点検する方法を提供することである。
【課題を解決するための手段】
【００１７】
本願発明は、頭部キャップを取り外すことなく内部を観察するこができる点検部を設けるとともに、常時はこの点検部を覆う遮光体を設置する、という点に着目してなされたものであり、これまでにない発想に基づいて行われた発明である。
【００１８】
本願発明のアンカー用頭部キャップは、アンカー頭部の定着具を収容するものであり、本体壁と、点検部、遮光体を備えたものである。このうち本体壁は、定着具を収容するための収容空間を形成するものであり、点検部は、収容空間内を視認し得るものであって本体壁の一部に設けられる。また遮光体は、点検部の前面に設置されるものであって、光を遮断する材質で形成され、さらに移動可能となっている。そして、遮光体が点検部の前面に配置されるときは収容空間内への光を遮断し、遮光体が点検部の前面から外れたときは点検部を通じて収容空間内を視認することができる。
【００１９】
本願発明のアンカー用頭部キャップは、貫入体を具備する点検部を備えたものとすることもできる。この貫入体は、本体壁に設けられた視通孔内に取り付けられる。なお貫入体は、収容空間内を視認し得る材質で形成され、本体壁の表面よりも内部側に突出する形状である。
【００２０】
本願発明のアンカー用頭部キャップは、貫入体を着脱可能に視通孔に取り付けたものとすることもできる。この場合、本体壁にネジが設けるとともに、遮光体の側面にネジを設けることで、遮光体を本体壁にネジ固定することもできる。
【００２１】
本願発明のアンカー用頭部キャップは、遮光体を着脱可能に本体壁に取り付けることによって、この遮光体の移動を可能にしたものとすることもできる。
【００２２】
本願発明のアンカー用頭部キャップは、遮光体の一部をヒンジ固定として本体壁に取り付けることによって、この遮光体が回転可能（つまり移動可能）であるものとすることもできる。
【００２３】
本願発明のアンカー用頭部キャップの点検方法は、点検部開放工程と観察工程を備えた方法である。なお、点検対象であるアンカー用頭部キャップは、アンカー頭部の定着具を収容した状態で内部に防食材が充填されており、定着具を収容するための収容空間を形成する本体壁（収容空間を形成する外周壁）と、収容空間内を視認し得る点検部と、この点検部の前面に設置される遮光体を有している。また遮光体は、光を遮断する材質で形成され、さらに移動可能となっている。点検部開放工程では、遮光体を点検部の前面から外すように移動し、その後に行われる観察工程では、点検部を通じて収容空間内を観察する。
【００２４】
本願発明のアンカー用頭部キャップの点検方法は、貫入体を通じて収容空間内を観察する方法とすることもできる。この場合の点検部は、本体壁に設けられた視通孔内に取り付けられた貫入体を有しており、この貫入体は、収容空間内を視認し得る材質で形成されるとともに、本体壁の表面よりも内部側に突出する形状となっている。
【００２５】
本願発明のアンカー用頭部キャップの点検方法は、さらに防食材採取工程を備えた方法とすることもできる。この防食材採取工程では、着脱可能に視通孔に取り付けられた貫入体を取り外し、収容空間内に充填された防食材を採取する。
【００２６】
本願発明のアンカー用頭部キャップの点検方法は、収容空間内に充填された防食材の色を分光測色計 によって計測する方法とすることもできる。
【発明の効果】
【００２７】
本願発明のアンカー用頭部キャップ、及びアンカー用頭部キャップの点検方法には、次のような効果がある。
（１）頭部キャップを取り外すことなく内部の様子を確認することができるため、点検者にかかる労力と費用といった負担を軽減することができる。
（２）常時はこの点検部を覆う遮光体を設置することから、頭部キャップ内に充填された防食材の劣化を防止することができ、ひいてはアンカーの延命化を図ることができる。
（３）頭部キャップ内に突出する貫入体を点検部に設けることによって、内部の様子も確認することができる。
（４）点検部に設ける貫入体を着脱可能とすることによって、内部の防食材の一部を採取し、さらに詳しい調査を行うことができる。
（５）分光測色計 を用いて防食材の色を計測することによって、客観的に防食材の状態を評価することができる。
【図面の簡単な説明】
【００２８】
【図１】本願発明のアンカー用頭部キャップを示す断面図。
【図２】（ａ）は貫入体を示す平面図、（ｂ）は貫入体を示す断面図。
【図３】（ａ）は貫入体と遮光体を設置する前の点検部を示す断面図、（ｂ）は貫入体と遮光体が設置された後の点検部を示す断面図。
【図４】（ａ）は遮光体を示す平面図、（ｂ）は遮光体を示す断面図。
【図５】本願発明のアンカー用頭部キャップの点検方法の主な工程の流れを示すフロー図。
【図６】（ａ）は点検部の開放前の状態を示すステップ図、（ｂ）は点検部を開放する状態を示すステップ図、（ｃ）は分光測色計 によって防食材の色を計測する状態を示すステップ図、（ｄ）は貫入体を取り外して防食材を採取する状態を示すステップ図。
【発明を実施するための形態】
【００２９】
本願発明のアンカー用頭部キャップ、及びアンカー用頭部キャップの点検方法の一例を、図に基づいて説明する。なお、ここでは便宜上、グラウンドアンカーの例で説明しているが、本願発明はコンクリート床板にプレストレスを導入するアンカーなどグラウンドアンカー以外のアンカーにも適用可能であり、したがってここでいう「アンカー」は、グランドアンカーを含む種々のアンカーを意味している。
【００３０】
また、アンカーは様々な点に着目して分類がされることがあるが、防食材を充填する頭部キャップを有する限りあらゆるアンカーに対して本願発明を適用することができる。例えば、テンドンの種類に着目して、ＰＣ鋼線のアンカー、ＰＣ鋼より線のアンカー、ＰＣ鋼棒のアンカー、連続繊維補強材のアンカーなどに分類されることもあるが、本願発明はこれらすべてのアンカーに適用できる。また、テンドンの定着方式に着目して、くさび定着方式アンカー、ナット定着式アンカー、くさびナット定着式アンカーなどに分類されることもあり、さらに地盤への定着方式に着目して、摩擦型アンカー、支圧型アンカー、複合（摩擦＋支圧）型アンカーなどに分類されることもあるが、やはり本願発明はこれらすべてのアンカーに適用できる。
【００３１】
１．アンカー用頭部キャップ
（本体壁と収容空間）
まず、本願発明のアンカー用頭部キャップについて説明する。図１は、本願発明のアンカー用頭部キャップ１００を示す断面図である。アンカー用頭部キャップ１００は概ね円筒形であり、本体壁１１０によって上部と側面を覆い、内部に収容空間１２０を形成している。ただし、底面（図では下面）は開放されている。アンカー用頭部キャップ１００の外形を構成する本体壁１１０は、鋼製やアルミニウム製など金属製とすることもできるし、ポリエチレン製やプラスティック製、ＡＢＳ（ＡｃｒｙｌｏｎｉｔｒｉｌｅＢｕｔａｄｉｅｎｅＳｔｙｒｅｎｅ）樹脂など合成樹脂製とすることもできる。なお、アンカー用頭部キャップ１００は概ね円筒形であると説明したが、本体壁１１０によって収容空間１２０を形成する限り、円筒形のほか角柱形や、半球形、あるいは他の任意形状とすることができる。
【００３２】
図１に示すように、本体壁１１０によって囲まれた空間が収容空間１２０であり、この収容空間１２０内に定着具等を収容することができる。図１ではくさび定着式アンカーの例を示しており、複数のＰＣ鋼より線（テンドン３００）の先端と、これらＰＣ鋼より線を固定するアンカーヘッド２１０とリングナット２２０からなる定着具２００が、収容空間１２０に収容されている。そして、これらを収容したうえで、収容空間１２０内には防食材４００が充填されている。なお図１では、くさび定着式アンカーの例を示しているが、既述したとおりナット定着式アンカーやくさびナット定着式アンカーであっても本願発明は適用でき、ＰＣ鋼より線以外のテンドン３００（ＰＣ鋼棒など）を使用したアンカーであっても本願発明は適用できる。
【００３３】
アンカー頭部は、プレキャスト製の受圧板や、場所打ちコンクリートによる連続のり枠、擁壁等のコンクリート構造物といった受圧構造物の表面側に固定される。あるいは、受圧構造物の表面に対してアンカー方向が垂直とならないケースでは、角度調整用の台座（コンクリート製や鋼製）を介して受圧構造物に固定されることもある。なお、定着具２００からの荷重が直接作用するのを避けるため、受圧構造物や台座には支圧板が設置される。支圧板は、定着具２００よりも大きな面積の板材で形成されていることから、定着具２００からの荷重を分散して受圧構造物等に伝達するわけである。
【００３４】
アンカー用頭部キャップ１００もまた、支圧板を介して受圧構造物や台座に固定される。具体的には、図１に示す固定フランジ１１１を利用することでアンカー用頭部キャップ１００は固定される。固定フランジ１１１は、本体壁１１０の下端に、側面から外側に突出するように設けられたフランジであり、この部分に設けられたボルト孔にボルトを挿通して、アンカー用頭部キャップ１００は支圧板を介して受圧構造物等に固定される。
【００３５】
（点検部）
本体壁１１０の一部には、点検部１３０が設けられている。この点検部１３０は、収容空間１２０内の防食材４００やテンドン３００等を視認するものであり、そのため点検部１３０を設ける箇所では本体壁１１０が刳り貫かれて小孔（以下、「視通孔」という。）が形成されている。この点検部１３０は、図１に示すように本体壁１１０の側壁部や天頂部など種々の位置に設けることができ、図１の３箇所に限らず１箇所や２箇所、あるいは本体壁１１０全体の強度を保つ範囲で４箇所以上設けることもできる。点検部１３０部を視通孔としたままでは、防食材４００が露出するため、この視通孔を塞ぐ蓋が設置される。ただし、収容空間１２０内を視認する必要があることから、この蓋は内部を視認し得る（透明性を有した）材質（以下、「透明性材質」という。）で形成される。例えば、透明性を有する合成樹脂や、ガラスといった透明性材質を使用して形成するとよい。なお、内部を視認できることから、この蓋のことをここでは便宜上、「視認蓋」ということとする。
【００３６】
視認蓋は、点検部１３０部の視通孔を塞ぎ、かつ内部を視認できるものであれば、板状のものをはじめ任意の形状とすることができる。しかしながら視認蓋を板状とした場合、収容空間１２０の奥（つまり中心部）を確認することは難しい。そこで、この視認蓋を本体壁１１０の表面よりも内部側に突出する形状とするとよい。なお視認蓋のうち、内部側に突出する形状のものをここでは便宜上、「貫入体」ということとする。つまり貫入体は、特殊な形状を呈する視認蓋であり、したがってやはり透明性材質で形成される。
【００３７】
図２は、貫入体１３１の詳細を示しており、（ａ）はその平面図、（ｂ）はその断面図である。図２（ｂ）から分かるようにこの図に示す貫入体１３１は、貫入部１３１ａと顎部１３１ｂ、中空部１３１ｃによって構成されている。具体的には、半球状（椀状）の貫入部１３１ａと、その上端周囲に配置される顎部１３１ｂが一体として形成され、貫入部１３１ａ内に設けられる空間が中空部１３１ｃである。また、図２（ａ）から分かるように、貫入部１３１ａの開口部（つまり中空部１３１ｃの平面視）は六角形であり、顎部１３１ｂは中空の円形（つまりドーナツ形）となっている。なお、貫入部１３１ａの開口部を六角形としているのは、後述するように六角レンチで取り外すためであり、他の方法で取り外す場合は六角形に限らず他の任意形状とすることができる。また、顎部１３１ｂの形状も中空円形とする場合に限らず、その他種々の形状とすることができる。
【００３８】
図３は、点検部１３０の詳細を示す断面図であり、（ａ）は貫入体１３１と後述する遮光体を設置する前の状態、すなわち点検部１３０に視通孔１３２が設けられた状態を示す断面図、（ｂ）は貫入体１３１と遮光体１４０が設置された後の状態を示す断面図である。図３（ａ）に示すように、点検部１３０には本体壁１１０の一部を切り抜いた視通孔１３２が設けられている。またこの視通孔１３２部分の断面を見ると、表面付近とこれより奥（図では下）の箇所でその幅が異なっている。より詳しくは、表面付近の空間（以下、「前方空間」という。）の方が、これより奥にある空間（以下、「後方空間」という。）よりもやや広くなっている。これは、前方空間を形成する壁面（以下、「前方壁面１３２ａ」という。）に対して、後方空間を形成する壁面（以下、「後方壁面１３２ｂ」という。）が視通孔１３２の中心側に突出しているからであり、これにより貫入体１３１の顎部１３１ｂを係止する顎台１１２が形成されている。
【００３９】
図３（ｂ）に示すように貫入体１３１は、貫入部１３１ａが収容空間１２０に入り込むように視通孔１３２に取り付け、その顎部１３１ｂを顎台１１２に係止させる。このとき、後方壁面１３２ｂに雌ネジを設けておくとともに、後方壁面１３２ｂに当接する貫入部１３１ａ側面に雄ネジを設けておけば、これらのネジによって貫入体１３１を視通孔１３２に着脱可能に固定することができる。また、前方空間よりも顎部１３１ｂの外形をやや大きくすることで、単に貫入体１３１を視通孔１３２に挿入するにとどめ、顎部１３１ｂの弾性を利用して貫入体１３１を着脱可能に固定してもよい。あるいは、顎部１３１ｂを顎台１１２にボルト等で縫い付けるなど、着脱できない状態で貫入体１３１を固定してもよい。
【００４０】
図１や図３（ｂ）からも分かるように、設置された貫入体１３１は、本体壁１１０の表面よりも内部側に突出しており、しかもこの貫入体１３１が透明性材質で形成されていることから、貫入体１３１を通じて収容空間１２０内の防食材４００を視認することができる。また、テンドン３００や定着具２００等の状態を把握すべくさらに中心部を視認するため、貫入体１３１をより内部側に突出したものとすることもできる。例えば、貫入体１３１（貫入部１３１ａ）を有底の柱状（円柱状など）とし、その底がテンドン３００付近に届くような長さを有するものとすることで、より中心部を視認することができる。
【００４１】
（遮光体）
図１や図３（ｂ）に示すように、点検部１３０には遮光体１４０が設置される。この遮光体１４０は、点検部１３０（視通孔１３２）から収容空間１２０内に入る光を遮るために設置されるものであり、したがって光を遮断する材質（以下、「遮光性材質」という。）で形成され、点検部１３０（視通孔１３２）を覆うことができる形状と寸法を有し、そして点検部１３０の前面（外側）に設置される。例えば、遮光性を有する合成樹脂や、鋼材、アルミニウムといった遮光性材質を使用して形成するとよい。図４は、遮光体１４０の詳細を示しており、（ａ）はその平面図、（ｂ）はその断面図である。図４から分かるようにこの図に示す遮光体１４０は、平面視で略円形、断面視で略長方形の薄肉円柱の形状を呈している。
【００４２】
図３（ｂ）に示すように遮光体１４０は、点検部１３０（貫入体１３１）の前面（図では上方）の位置で、視通孔１３２内に収められて設置される。この場合、遮光体１４０の平面形状は視通孔１３２の平面視形状と合わせられ、視通孔１３２の平面視形状が円形であれば遮光体１４０の平面形状も円形となり、視通孔１３２の平面視形状が多角形であれば遮光体１４０の平面形状も同様の多角形となる。このように、遮光体１４０の平面形状と視通孔１３２の平面視形状を合わせ、遮光体１４０を視通孔１３２内に収めると、遮光体１４０の表面と本体壁１１０の表面が連続し、外観的に良好となるうえ、何らかの障害物に引っかかることで外れるおそれもなくなる。なお、貫入体１３１と遮光体１４０の間には止水用のパッキンを挟むこともできる。もちろん、遮光体１４０を視通孔１３２よりも大きな面積を有するものとし、本体壁１１０の表面に載せるように遮光体１４０を設置してもよい。
【００４３】
ところで、点検部１３０（貫入体１３１）の前面に遮光体１４０が設置されていると、点検時、すなわち貫入体１３１を通じて収容空間１２０内を視認するときに、この遮光体１４０が障害となる。したがって遮光体１４０は、点検部１３０の前面から移動できるように取り付けられる。例えば、視通孔１３２の前方壁面１３２ａに雌ネジ（又は雄ネジ）を設けておくとともに、遮光体１４０の側面に雄ネジ（又は雌ネジ）を設けておけば、これらのネジによって遮光体１４０を視通孔１３２に着脱可能にネジ固定することができる。つまり、点検時は遮光体１４０を取り外して点検部１３０を開放し、点検後は遮光体１４０を取り付けることで点検部１３０から入る光を遮断するわけである。
【００４４】
また、着脱式に代えて、遮光体１４０の一部を固定したまま移動可能にすることもできる。例えば、丁番等を利用して回転可能に遮光体１４０を取り付けたり、スライド式として遮光体１４０を取り付けたり、その他種々の開閉式として遮光体１４０を取り付けることができる。つまり、点検時は遮光体１４０を開扉して点検部１３０を開放し、点検後は遮光体１４０を閉扉することで点検部１３０から入る光を遮断するわけである。
【００４５】
２．アンカー用頭部キャップの点検方法
次に、本願発明のアンカー用頭部キャップの点検方法について説明する。なお、ここで説明する方法は、ここまで説明したアンカー用頭部キャップ１００に対する点検方法であり、したがって「１．アンカー用頭部キャップ」と重複する説明は避け、アンカー用頭部キャップの点検方法に特有の内容のみ説明することとする。すなわち、ここに記載されていない内容は、「１．アンカー用頭部キャップ」で説明したものと同様である。
【００４６】
以下、図５と図６を参照しながら詳しく説明する。図５は、本願発明のアンカー用頭部キャップの点検方法の主な工程の流れを示すフロー図である。また図６は、アンカー用頭部キャップの点検方法の主な工程を示すステップ図であり、（ａ）は点検部１３０の開放前の状態を示し、（ｂ）は点検部１３０を開放する状態を示し、（ｃ）は分光測色計 によっては防食材の色を計測する状態を示し、（ｄ）は貫入体１３１を取り外して防食材を採取する状態を示している。
【００４７】
はじめに、アンカー頭部周辺の除草や、アンカー用頭部キャップ１００（特に点検部１３０）に付着した不要物を除去するなど、点検に当たって必要な準備工を行う（Ｓｔｅｐ１０１）。このとき、必要があれば足場の組み立を行う。次に、アンカー用頭部キャップ１００のうち、本体壁１１０の表面や点検部１３０に損傷がないか外観観察を行う（Ｓｔｅｐ１０２）。
【００４８】
外観観察が終わると、点検部１３０（貫入体１３１）の前面から遮光体１４０を移動することによって点検部１３０を開放する（Ｓｔｅｐ１０３）。このとき、遮光体１４０が回転可能に取り付けられている場合は、開扉することで、あるいはスライド移動することで、点検部１３０を開放する。また、遮光体１４０が着脱可能に取り付けられている場合は、遮光体１４０を取り外すことで、点検部１３０を開放する。例えば、既述したように遮光体１４０がネジによって着脱可能に固定されている場合、図４に示すように遮光体１４０の表面側に切込み溝１４１を入れておくと、ドライバ等の工具を用いることで遮光体１４０を外すことができる（図６（ｂ））。
【００４９】
遮光体１４０を移動し点検部１３０を開放すると、この点検部１３０（貫入体１３１）を通じての収容空間１２０を見ることができる（図６（ｃ））ため、内部の様子を目視によって確認する（Ｓｔｅｐ１０４）。特に、防食材４００の変色、防食材４００の充填状態（減少していないか）、あるいはテンドン３００や定着具２００等の状態を観察する。なお、酸化等によって防食材４００（防錆油）が劣化すると変色するため、防食材４００の変色状態は特に詳しく観察するとよい。
【００５０】
防食材４００の色は、点検者の目視によって確認することもできるし、色を物理量として定量的に計測し得る分光測色計 （色差計）によって確認することもできる。分光測色計 （色差計）で得られた数値と、あらかじめ設定しておいた閾値とを照らし合わせることで異常の有無を判定できるため、熟練した点検者でなくても判断できるうえ、客観的な判断が可能となる（Ｓｔｅｐ１０５）。
【００５１】
貫入体１３１を着脱可能に固定している場合は、防食材４００の一部を採取することもできる。この場合、図６（ｄ）に示すように貫入体１３１を取り外す必要がある（Ｓｔｅｐ１０６）。例えば、既述したように貫入体１３１がネジによって視通孔１３２内（後方壁面１３２ｂ）に着脱可能に固定されている場合は、ドライバ等の工具を用いることで貫入体１３１を外すことができる。このとき、貫入部１３１ａの開口部を六角形としていれば、図６（ｄ）に示すように六角レンチを利用して貫入体１３１を取り外すことができる。なお、貫入体１３１を取り外したとしても、視通孔１３２が小孔であるため、しかも防食材４００（防錆油）はゲル状を呈していることから、視通孔１３２から防食材４００が漏出することはない。貫入体１３１を取り外すと、採取用の器具を用いて防食材４００の一部を採取する（Ｓｔｅｐ１０７）。ここで採取した防食材４００は、現地あるいは室内に持ち帰って詳しく分析される（Ｓｔｅｐ１０８）。
【００５２】
点検した一連の内容を記録し（Ｓｔｅｐ１０８）、当該アンカー用頭部キャップ１００の点検が完了する。他に点検すべきアンカー用頭部キャップ１００があれば、外観観察（Ｓｔｅｐ１０２）〜点検結果の記録（Ｓｔｅｐ１０９）の工程を繰り返し行い（Ｓｔｅｐ１１０）、他に点検すべきアンカー用頭部キャップ１００がなくなれば全ての点検が完了する。
【産業上の利用可能性】
【００５３】
本願発明のアンカー用頭部キャップ、及びアンカー用頭部キャップの点検方法は、のり面・斜面対策工や、地すべり対策工に利用できるほか、コンクリート床板へのプレストレス導入や、ダムの安定化対策、橋脚や橋台の安定化対策などにも利用することができる。本願発明が、社会資本の一つであるアンカーの延命化を図り得ることを考えれば、産業上利用できるばかりでなく社会的にも大きな貢献を期待し得る発明といえる
【符号の説明】
【００５４】
１００    本願発明のアンカー用頭部キャップ
１１０    （アンカー用頭部キャップの）本体壁
１１１    （本体壁の）固定フランジ
１１２    （本体壁の）顎台
１２０    （アンカー用頭部キャップの）収容空間
１３０    （アンカー用頭部キャップの）点検部
１３１    （点検部の）貫入体
１３１ａ  （貫入体の）貫入部
１３１ｂ  （貫入体の）顎部
１３１ｃ  （貫入体の）中空部
１３２    （点検部の）視通孔
１３２ａ  （視通孔の）前方壁面
１３２ｂ  （視通孔の）後方壁面
１４０    （アンカー用頭部キャップの）遮光体
１４１    （遮光体の）切込み溝
２００    定着具
２１０    （定着具の）アンカーヘッド
２２０    （定着具の）リングナット
３００    テンドン
４００    防食材
【図１】
2018135707.tif 000003
【図２】
2018135707.tif 000004
【図３】
2018135707.tif 000005
【図４】
2018135707.tif 000006
【図５】
2018135707.tif 000007
【図６】
2018135707.tif 000008
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
アンカー頭部の定着具を収容するアンカー用頭部キャップにおいて、
前記定着具を収容するための収容空間を形成する本体壁と、
前記本体壁の一部に設けられ、前記収容空間内を視認し得る点検部と、
前記点検部前面に設置される遮光体と、を備え、
前記点検部は、前記本体壁に設けられた視通孔内に取り付けられた貫入体を有し、
前記貫入体は、前記収容空間内を視認し得る材質で形成されるとともに、前記本体壁の表面よりも内部側に突出する形状であり、
前記遮光体は、光を遮断する材質で形成されるとともに、移動可能であり、
前記遮光体が前記点検部の前面に配置されるときは前記収容空間内への光を遮断し、前記遮光体が前記点検部の前面から外れたときは該点検部を通じて前記収容空間内を視認し得る、
ことを特徴とするアンカー用頭部キャップ。
【請求項２】
前記貫入体が、着脱可能に前記視通孔に取り付けられた、
ことを特徴とする請求項２記載のアンカー用頭部キャップ。
【請求項３】
前記遮光体が、着脱可能に前記本体壁に取り付けられた、
ことを特徴とする請求項１又は請求項２記載のアンカー用頭部キャップ。
【請求項４】
アンカー頭部の定着具を収容するアンカー用頭部キャップにおいて、
前記定着具を収容するための収容空間を形成する本体壁と、
前記本体壁の一部に設けられ、前記収容空間内を視認し得る点検部と、
前記点検部前面に設置される遮光体と、を備え、
前記遮光体は、光を遮断する材質で形成されるとともに、移動可能であって、着脱可能に前記本体壁に取り付けられ、
前記遮光体が前記点検部の前面に配置されるときは前記収容空間内への光を遮断し、前記遮光体が前記点検部の前面から外れたときは該点検部を通じて前記収容空間内を視認し得る、
ことを特徴とするアンカー用頭部キャップ。
【請求項５】
前記本体壁にネジが設けられるとともに、前記遮光体の側面にネジが設けられ、
前記遮光体が、ネジによって着脱可能に前記本体壁に取り付けられた、
ことを特徴とする請求項４記載のアンカー用頭部キャップ。
【請求項６】
前記遮光体が、ヒンジ固定によって回転可能に前記本体壁に取り付けられ、又はスライド可能に前記本体壁に取り付けられた、
ことを特徴とする請求項１又は請求項２記載のアンカー用頭部キャップ。
【請求項７】
アンカー頭部の定着具を収容し、かつ内部に防食材が充填されたアンカー用頭部キャップの点検方法において、
前記アンカー用頭部キャップは、前記定着具を収容するための収容空間を形成する本体壁と、該収容空間内を視認し得る点検部と、該点検部の前面に設置される遮光体と、を有し、
前記点検部は、前記本体壁に設けられた視通孔内に取り付けられた貫入体を有し、
前記貫入体は、前記収容空間内を視認し得る材質で形成されるとともに、前記本体壁の表面よりも内部側に突出する形状であり、
前記遮光体は、光を遮断する材質で形成されるとともに、移動可能であり、
前記遮光体を、前記点検部の前面から外すように移動する、点検部開放工程と、
前記点検部開放工程後に、前記貫入体を通じて前記収容空間内を観察する観察工程と、を備えた、
ことを特徴とするアンカー用頭部キャップの点検方法。
【請求項８】
着脱可能に前記視通孔に取り付けられた前記貫入体を取り外し、前記収容空間内に充填された前記防食材を採取する防食材採取工程を、さらに備えた、
ことを特徴とする請求項７記載のアンカー用頭部キャップの点検方法。
【請求項９】
前記観察工程では、前記収容空間内に充填された前記防食材の色を分光測色計によって計測する、
ことを特徴とする請求項７又は請求項８記載のアンカー用頭部キャップの点検方法。
【請求項１０】
アンカー頭部の定着具を収容し、かつ内部に防食材が充填されたアンンカー用頭部キャップの点検方法において、
前記アンンカー用頭部キャップは、前記定着具を収容するための収容空間を形成する本体壁と、該収容空間内を視認し得る点検部と、該点検部の前面に設置される遮光体と、を有し、
前記遮光体は、光を遮断する材質で形成されるとともに、移動可能であり、
前記遮光体を、前記点検部の前面から外すように移動する、点検部開放工程と、
前記点検部開放工程後に、前記点検部を通じて前記収容空間内を観察する観察工程と、を備え、
前記観察工程では、前記収容空間内に充填された前記防食材の色を分光測色計 によって計測する、
ことを特徴とするアンカー用頭部キャップの点検方法。
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
アンカー頭部の定着具を収容するアンカー用頭部キャップにおいて、
前記定着具を収容するための収容空間を形成する本体壁と、
前記本体壁の一部に設けられ、前記収容空間内を視認し得る点検部と、
前記点検部前面に設置される遮光体と、を備え、
前記点検部は、前記本体壁に設けられた視通孔内に取り付けられた貫入体を有し、
前記貫入体は、前記収容空間内を視認し得る材質で形成されるとともに、前記本体壁の表面よりも内部側に突出する形状であり、
前記遮光体は、光を遮断する材質で形成されるとともに、移動可能であり、
前記遮光体が前記点検部の前面に配置されるときは前記収容空間内への光を遮断し、前記遮光体が前記点検部の前面から外れたときは該点検部を通じて前記収容空間内を視認し得る、
ことを特徴とするアンカー用頭部キャップ。
【請求項２】
前記貫入体が、着脱可能に前記視通孔に取り付けられた、
ことを特徴とする請求項２記載のアンカー用頭部キャップ。
【請求項３】
前記遮光体が、着脱可能に前記本体壁に取り付けられた、
ことを特徴とする請求項１又は請求項２記載のアンカー用頭部キャップ。
【請求項４】
アンカー頭部の定着具を収容するアンカー用頭部キャップにおいて、
前記定着具を収容するための収容空間を形成する本体壁と、
前記本体壁の一部に設けられ、前記収容空間内を視認し得る点検部と、
前記点検部前面に設置される遮光体と、を備え、
前記遮光体は、光を遮断する材質で形成されるとともに、移動可能であって、着脱可能に前記本体壁に取り付けられ、
前記遮光体が前記点検部の前面に配置されるときは前記収容空間内への光を遮断し、前記遮光体が前記点検部の前面から外れたときは該点検部を通じて前記収容空間内を視認し得る、
ことを特徴とするアンカー用頭部キャップ。
【請求項５】
前記本体壁にネジが設けられるとともに、前記遮光体の側面にネジが設けられ、
前記遮光体が、ネジによって着脱可能に前記本体壁に取り付けられた、
ことを特徴とする請求項４記載のアンカー用頭部キャップ。
【請求項６】
前記遮光体が、ヒンジ固定によって回転可能に前記本体壁に取り付けられ、又はスライド可能に前記本体壁に取り付けられた、
ことを特徴とする請求項１又は請求項２記載のアンカー用頭部キャップ。
【請求項７】
アンカー頭部の定着具を収容し、かつ内部に防食材が充填されたアンカー用頭部キャップの点検方法において、
前記アンカー用頭部キャップは、前記定着具を収容するための収容空間を形成する本体壁と、該収容空間内を視認し得る点検部と、該点検部の前面に設置される遮光体と、を有し、
前記点検部は、前記本体壁に設けられた視通孔内に取り付けられた貫入体を有し、
前記貫入体は、前記収容空間内を視認し得る材質で形成されるとともに、前記本体壁の表面よりも内部側に突出する形状であり、
前記遮光体は、光を遮断する材質で形成されるとともに、移動可能であり、
前記遮光体を、前記点検部の前面から外すように移動する、点検部開放工程と、
前記点検部開放工程後に、前記貫入体を通じて前記収容空間内を観察する観察工程と、を備えた、
ことを特徴とするアンカー用頭部キャップの点検方法。
【請求項８】
着脱可能に前記視通孔に取り付けられた前記貫入体を取り外し、前記収容空間内に充填された前記防食材を採取する防食材採取工程を、さらに備えた、
ことを特徴とする請求項７記載のアンカー用頭部キャップの点検方法。
【請求項９】
前記観察工程では、前記収容空間内に充填された前記防食材の色を分光測色計によって計測する、
ことを特徴とする請求項７又は請求項８記載のアンカー用頭部キャップの点検方法。
【請求項１０】
アンカー頭部の定着具を収容し、かつ内部に防食材が充填されたアンカー用頭部キャップの点検方法において、
前記アンカー用頭部キャップは、前記定着具を収容するための収容空間を形成する本体壁と、該収容空間内を視認し得る点検部と、該点検部の前面に設置される遮光体と、を有し、
前記遮光体は、光を遮断する材質で形成されるとともに、移動可能であり、
前記遮光体を、前記点検部の前面から外すように移動する、点検部開放工程と、
前記点検部開放工程後に、前記点検部を通じて前記収容空間内を観察する観察工程と、を備え、
前記観察工程では、前記収容空間内に充填された前記防食材の色を分光測色計 によって計測する、
ことを特徴とするアンカー用頭部キャップの点検方法。
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
アンカー頭部の定着具を収容するアンカー用頭部キャップにおいて、
前記定着具を収容するための収容空間を形成する本体壁と、
前記本体壁の一部に設けられ、前記収容空間内を視認し得る点検部と、
前記点検部前面に設置される遮光体と、を備え、
前記点検部は、前記本体壁に設けられた視通孔内に取り付けられた貫入体を有し、
前記貫入体は、前記収容空間内を視認し得る材質で形成されるとともに、前記本体壁の表面よりも内部側に突出する形状であり、
前記遮光体は、光を遮断する材質で形成されるとともに、移動可能であり、
前記遮光体が前記点検部の前面に配置されるときは前記収容空間内への光を遮断し、前記遮光体が前記点検部の前面から外れたときは該点検部を通じて前記収容空間内を視認し得る、
ことを特徴とするアンカー用頭部キャップ。
【請求項２】
前記貫入体が、着脱可能に前記視通孔に取り付けられた、
ことを特徴とする請求項１記載のアンカー用頭部キャップ。
【請求項３】
前記遮光体が、着脱可能に前記本体壁に取り付けられた、
ことを特徴とする請求項１又は請求項２記載のアンカー用頭部キャップ。
【請求項４】
アンカー頭部の定着具を収容するアンカー用頭部キャップにおいて、
前記定着具を収容するための収容空間を形成する本体壁と、
前記本体壁の一部に設けられ、前記収容空間内を視認し得る点検部と、
前記点検部前面に設置される遮光体と、を備え、
前記遮光体は、光を遮断する材質で形成されるとともに、移動可能であって、着脱可能に前記本体壁に取り付けられ、
前記遮光体が前記点検部の前面に配置されるときは前記収容空間内への光を遮断し、前記遮光体が前記点検部の前面から外れたときは該点検部を通じて前記収容空間内を視認し得る、
ことを特徴とするアンカー用頭部キャップ。
【請求項５】
前記本体壁にネジが設けられるとともに、前記遮光体の側面にネジが設けられ、
前記遮光体が、ネジによって着脱可能に前記本体壁に取り付けられた、
ことを特徴とする請求項４記載のアンカー用頭部キャップ。
【請求項６】
前記遮光体が、ヒンジ固定によって回転可能に前記本体壁に取り付けられ、又はスライド可能に前記本体壁に取り付けられた、
ことを特徴とする請求項１又は請求項２記載のアンカー用頭部キャップ。
【請求項７】
アンカー頭部の定着具を収容し、かつ内部に防食材が充填されたアンカー用頭部キャップの点検方法において、
前記アンカー用頭部キャップは、前記定着具を収容するための収容空間を形成する本体壁と、該収容空間内を視認し得る点検部と、該点検部の前面に設置される遮光体と、を有し、
前記点検部は、前記本体壁に設けられた視通孔内に取り付けられた貫入体を有し、
前記貫入体は、前記収容空間内を視認し得る材質で形成されるとともに、前記本体壁の表面よりも内部側に突出する形状であり、
前記遮光体は、光を遮断する材質で形成されるとともに、移動可能であり、
前記遮光体を、前記点検部の前面から外すように移動する、点検部開放工程と、
前記点検部開放工程後に、前記貫入体を通じて前記収容空間内を観察する観察工程と、を備えた、
ことを特徴とするアンカー用頭部キャップの点検方法。
【請求項８】
着脱可能に前記視通孔に取り付けられた前記貫入体を取り外し、前記収容空間内に充填された前記防食材を採取する防食材採取工程を、さらに備えた、
ことを特徴とする請求項７記載のアンカー用頭部キャップの点検方法。
【請求項９】
前記観察工程では、前記収容空間内に充填された前記防食材の色を分光測色計によって計測する、
ことを特徴とする請求項７又は請求項８記載のアンカー用頭部キャップの点検方法。
【請求項１０】
アンカー頭部の定着具を収容し、かつ内部に防食材が充填されたアンンカー用頭部キャップの点検方法において、
前記アンンカー用頭部キャップは、前記定着具を収容するための収容空間を形成する本体壁と、該収容空間内を視認し得る点検部と、該点検部の前面に設置される遮光体と、を有し、
前記遮光体は、光を遮断する材質で形成されるとともに、移動可能であり、
前記遮光体を、前記点検部の前面から外すように移動する、点検部開放工程と、
前記点検部開放工程後に、前記点検部を通じて前記収容空間内を観察する観察工程と、を備え、
前記観察工程では、前記収容空間内に充填された前記防食材の色を分光測色計 によって計測する、
ことを特徴とするアンカー用頭部キャップの点検方法。